(57)【特許請求の範囲】
【請求項１】
試料を透析するための装置であって、
ガスケット、および前記ガスケットの両面に対向する関係で固定された透析膜によって形成された試料チャンバと、
前記透析膜および前記ガスケットを支持するハウジングと、
当該装置が透析液に浸漬されたとき、当該装置をほぼ直立姿勢で浮遊させる空気チャンバと、
前記ガスケットを貫通し、前記透析膜間に設けられたアクセス孔であって、当該アクセス孔は、前記ハウジングの外側からアクセス可能であり、前記試料チャンバに連通しており、当該アクセス孔を通して投入装置の投入端部を挿入して、試料を前記試料チャンバ内に投入することができるアクセス孔と、
を備え、
前記アクセス孔は、前記ガスケットにおいて常に存在する開口を通って設けられる装置。
【請求項２】
前記ガスケットが、試料導入機構を前記ガスケットを貫通して前記試料チャンバに挿入し、次いで、試料を漏洩させることなく引き抜くことができるように、貫通可能で再びアクセス可能である、請求項１に記載の装置。
【請求項３】
前記アクセス孔を閉鎖しかつ封止する取り外し可能なプラグをさらに備える、請求項１に記載の装置。
【請求項４】
前記プラグは、頭部を備え、
前記空気チャンバは、前記頭部に形成される、請求項３に記載の装置。
【請求項５】
前記ハウジングを形成する一対のプレートをさらに備え、
前記透析膜および前記ガスケットは、前記一対のプレートの間に支持されている、請求項１に記載の装置。
【請求項６】
前記空気チャンバは、前記一対のプレートの間に形成されている、請求項５に記載の装置。
【請求項７】
前記ガスケットは、前記透析される試料に対して不透過性である、請求項１に記載の装置。
【発明の詳細な説明】
【技術分野】
【０００１】
この出願は、２００８年２月８日出願の米国特許出願第６１／０２７，２１６号の優先権を主張するものである。その出願の全文が参照により本明細書に確実に組み込まれるものとする。
【０００２】
本発明は、少量の一定体積の試料ための透析装置に関する。
【背景技術】
【０００３】
様々な分子量を有する複数の分子を、半透膜に通して分離することができる。半透膜は、その組成およびその結果としてのその多孔性により、相対的に小さな分子、すなわち特定の分子量の閾値以下の分子に膜を通過させることができる。相対的に大きな分子は、膜を通過することができない。そのような膜システムは、研究室での研究にしばしば使用され、一般に透析膜と呼ばれる。透析膜の一般的用途は、ある緩衝液の別の緩衝液への交換、試料の脱塩、分子の分離、および試料の濃縮である。
【０００４】
一部の方式では、透析膜を、試料と透析液との間の唯一の分子交換機構として使用する。広く用いられる研究手順では、透析膜の一端を結合またはクランプしてチューブの形状にし、袋を形成する。試料を透析膜の袋の中に入れ、次いで、その透析膜の袋の結合されていない端部を結合またはクランプする。その袋、今や閉鎖した容器を、透析液中に沈める。操作性、信頼性および迅速性の観点から透析過程を改善するために、透析膜を格納する様々な装置が設計されてきた。
【発明の概要】
【課題を解決するための手段】
【０００５】
試料を透析するための装置が、ガスケット、およびガスケットの両面に対向する関係で固定された透析膜によって形成された試料チャンバを備える。ハウジングが、透析膜およびガスケットを支持する。装置が透析液に浸漬されたとき、空気チャンバが装置をほぼ直立姿勢で浮遊させる。アクセス孔が、ガスケットを貫通し、透析膜の間に設けられている。アクセス孔は、ハウジングの外側からアクセス可能で、試料チャンバに連通しており、その結果、アクセス孔を通して投入装置の投入端部を挿入して、試料を試料チャンバ内に投入することができる。一実施形態では、ガスケットは、透析される試料に対して不透過性または本質的に不透過性である。
【図面の簡単な説明】
【０００６】
【図１】透析装置の実施形態の分解組立斜視図である。
【図２】図１の透析装置の組み立てた形での側方断面図である。
【図３】透析装置の別の実施形態の前面図である。
【図４】透析装置の別の実施形態の側面図である。
【図５】透析装置の別の実施形態の側面図である。
【図６】図１の透析装置を使用する方法の実施形態の図である。
【図７】透析装置の別の実施形態の図である。
【図８】透析装置の別の実施形態の図である。
【図９】透析装置の別の実施形態の図である。
【図１０】透析装置の別の実施形態の図である。
【図１１】透析装置の別の実施形態の図である。
【図１２】透析装置の別の実施形態の図である。
【図１３】透析装置の別の実施形態の図である。
【図１４】透析装置の別の実施形態の図である。
【図１５】複数の様々な大きさの透析装置の図である。
【図１６】図１の透析装置のアクセス孔を閉鎖し封止するための代替結合の図である。
【発明を実施するための形態】
【０００７】
試料を透析するための装置が、ガスケット、およびガスケットの両面に対向する関係で固定された透析膜によって形成された試料チャンバを備える。ハウジングが、透析膜およびガスケットを支持する。装置が透析液に浸漬されたとき、空気チャンバが装置をほぼ直立姿勢で浮遊させる。アクセス孔が、ガスケットを貫通し、透析膜の間に設けられている。アクセス孔は、ハウジングの外側からアクセス可能で、試料チャンバに連通しており、その結果、アクセス孔を通して投入装置の投入端部を挿入して、試料を試料チャンバ内に投入することができる。一実施形態では、ガスケットは、透析される試料に対して不透過性または本質的に不透過性である。
【０００８】
図１は、全体を符号１０で示す透析装置の分解組立図である。装置１０は、ガスケット１２と、一対の透析膜１４、１６とを備える。図２に示されるように、透析膜１４、１６は、一旦組み立てられれば、ガスケット１２の両面に固定されて、それらの間にチャンバ１８を形成する。膜１４、１６は、互いに対向し、実質的に平行な関係にある。
【０００９】
図１および図２を参照すると、膜１４、１６およびガスケット１２によって形成されたチャンバ１８は密閉されており、ガスケット１２は、針１９に取り付けられた注射器などの試料導入機構、またはアクセス孔６０を通るピペット装置によって貫通可能である。針１９は、ガスケット１２を通してチャンバ１８内に挿入されて試料を送出し、次いで、注射器が、試料を漏洩させることなく引き抜かれる。このために、ガスケット１２は、たとえば、ゴム、プラスチック、シリコーンなどの優れた記憶機能を有する柔軟な材料であってもよい。膜１４、１６としては、一般に再生セルロースから生成された通例の透析膜を使用することができる。密閉チャンバを作り上げるために、膜１４、１６は、接着接合やモールド処理の手法などによって、ガスケット１２に確実に固定される。装置の特定な実施形態では、装置が製作される方式により、接着剤接合またはモールド処理を必要としないこともある。
【００１０】
ガスケット１２および膜１４、１６によって形成された密閉チャンバ１８が試料を透析するのに直接使用される一方で、装置１０は、一対のプレート２０、２２によって形成された剛体ハウジングを備える。ハウジングが、装置１０を構造的に安定させ、たとえば取り扱いを容易にする。また、ハウジングによって、識別表示を付けることが可能になり、また、針が膜１４、１６を貫通してしまう可能性を最小限に抑えるように針の挿入を導くことができる。各プレート２０、２２は、それぞれ装置１０の膜１４、１６に対向して配置された窓２４、２６を有する。
【００１１】
プレート２０、２２の位置合わせは、凸縁２８と溝３０とを構成することによって達成される。当業者には周知のように、他の構成も可能である。プレート２０、２２は、ガスケット１２および膜１４、１６をハウジング内にしっかりと挟み込むように封止されて完成装置１０を形成する。封止は、当業者には周知のように、たとえば音波溶接、接着剤などによって達成することができる。
【００１２】
各プレート２０、２２は、完成装置１０ではガスケット１２が位置する棚３６、３８をそれぞれ備える。強化型密閉チャンバを形成するために、各棚３６、３８は、一実施形態において各棚３６、３８の中央部分に沿って配置されており、完成装置１０ではガスケット１２に係合する１つまたは複数の隆起領域または圧力稜線部４０を有する。一対の圧力稜線部４０が、各窓２４、２６の外周に沿って延在する。所望の任意の数の圧力稜線部４０を各窓２４、２６の外周全体に沿って延在させ、またはその外周の一部分に沿って延在させて使用することができる。たとえば、圧力稜線部４０の数が多いほど、各プレート２０、２２とガスケット１２との間の流体の移動をより確実に防止できるようになる。さらに、両方の棚ではなくて、１つの棚だけに１つまたは複数の圧力稜線部４０を配置してもよい。圧力稜線部４０の他の変形形態も考えられる。
【００１３】
完成装置１０は、完成装置１０の各プレート２０、２２によって形成される空気チャンバ４２ａおよび４２ｂを備える。具体的には、各プレート２０、２２は、対応する空気陥凹４４ａ、４４ｂ、および４６ａ、４６ｂをそれぞれ備え、各プレート２０、２２が合体されて完成装置１０を形成すると、それら空気陥凹が一体になって空気チャンバ４２ａおよび４２ｂを形成する。空気チャンバ４２ａおよび４２ｂは、音波溶接、接着剤などによってプレート２０、２２で密閉することができる。すなわち、空気チャンバ４２ａおよび４２ｂは、プレート２０、２２が一体化して形成される。
【００１４】
使用に際し、完成装置１０が透析液中に入れられると、空気チャンバ４２が、装置１０を直立または垂直姿勢で浮遊させる。一部の実施形態では、プレート２０、２２は、アクリロニトリルブタジエンスチレン（ＡＢＳ）から形成され、その場合、プレート２０、２２の浮力特性により、試料チャンバ１８が透析液中に完全に浸漬されるようになり、一方で、空気チャンバ４２ａおよび４２ｂが装置１０を浮揚状態に保つ。たとえばプラスチックまたは他のポリマー材などの他の材料を使用して、プレート２０、２２を形成することもできる。
【００１５】
一実施形態では、装置１０を直立姿勢で浮遊させるのをさらに補助するために、錘４８が、完成装置１０における空気チャンバ４２の端部とは反対側の端部に配置されている。錘４８は、完成装置１０を透析液中で直立または垂直姿勢に浮動させるのに十分な重さをもつべきであるが、完成装置１０が完全に透析液中に沈むほどに重くてはならない。錘４８は、完成装置１０を透析液から容易に取り出すことができるように、完成装置１０の上部を透析液の液面上に延出させるだけの十分の重さがある。
【００１６】
ハウジングは、組み立てられると、針をガスケット１２内に、すなわちチャンバ１８内に導き入れ案内する１つまたは複数の針孔５０を有する。各針孔５０は、膜１４と１６との間に通り、ガスケット１２の縁部にほぼ垂直であり、その結果、針が膜１４、１６のどちらにも接触せずにチャンバ１８に到達することができる。また、各針孔５０は、高さ方向位置で圧力稜線部４０より高くなっており、その結果、針はまた、圧力稜線部４０に不用意に接触することなくチャンバ１８に到達することができる。一部の実施形態において、図１に示されるように、各針孔５０は、ガスケット１２の縁部に角部で対合し、その結果、アセンブリ１０を傾けることによって、試料をその角部に集めて抜き取ることができる。ハウジングは、圧力稜線部４０を有するプレート２０、２２に成形することができるプラスチックまたは他のポリマーなど、軽量で耐久性のある材料から成形され得る。
【００１７】
アクセス孔（全体として要素６０と称される）が完成装置１０の上部に設けられている。アクセス孔６０は、膜１４、１６の間に延在しガスケット１２の上部壁６４を貫通して形成された開口６２を通って設けられ、その開口６２は空気チャンバ４２ａおよび４２ｂの間を通るチャネル６６に整合する。チャネル６６は、各プレート２０および２２を通りそれらに挟まれて形成される。多くの実施形態では、スリーブ、襟部、リテーニングリングなどの封止部材６８が開口６２の内部に配置される。封止部材６８は、スリーブ形状の本体部分７０と、封止部材が開口６２に挿入された後にガスケット１２に入ること防ぐために本体部分から外方に延出するフランジ部分７２と、を備える。封止部材６８は、それを貫通する孔を有する。一部の実施形態では、孔は、少なくとも約１．３ｍｍ、たとえば約１．３ｍｍ〜約９ｍｍの内径を有する。ただし、アクセス孔６０または封止部材６８は、特定の寸法に限定されない。
【００１８】
封止部材６８は、適切な流体密封状態を達成し得ながら、たとえば装置１０の組立に際し、開口６２を維持するのに十分な硬さを有する材料から形成される。封止部材６８は、それがガスケット１２に対して相対移動することを防止するために、開口６２内に摩擦嵌合してもよいし、接着剤を使用して封止部材を開口６２内に接着してもよい。封止部材６８を形成するのに適切な材料は、当業者には周知であり、たとえば、ナイロン、ポリスチレンなどが挙げられる。
【００１９】
プラグ７５が、アクセス孔６０を封止するのに使用される。プラグ７５は、拡大頭部７７と、チャネル６６を貫通して封止部材６８に挿入することができるプラグ部分７９とを備える。プラグ部分７９と封止部材６８とは、プラグ部分が封止部材内に受け入れられた後は、流体密封状態が実現できる寸法になっている。プラグ部分７９と封止部材６８との間の摩擦により、プラグ７５がアクセス孔６０から外れるのが防止される。拡大頭部７７は、使用者が手で把持してプラグ７５をアクセス孔６０から取り外すことができるように人間工学的に形作ることができる。プラグ７５を形成するのに適した材料としては、ナイロン、ポリスチレンなどが挙げられる。他の実施形態では、流体密封状態を実現するために、プラグ部分７９と封止部材６８とを対合するネジを使用することができる。
【００２０】
ガスケット１２は、針孔５０を通して針を挿入することによりガスケットを貫通して形成される開口とは対照的に、常に存在する開口６２を備える。開口６２、および封止部材６８を貫通する開口は、プラグ７５を用いて閉じられ封止される。さらに、チャネル６６は針孔５０より大きい。一部の実施形態では、チャネル６６は、針孔５０の直径より少なくとも２倍（たとえば少なくとも５倍）は大きい直径を有する。チャネル６６のこの大きい直径によって、ガスケット１２を損傷せずにガスケットを貫通させるには大き過ぎる投入端部を有するピペットや他の装置などの器具を使用することが可能になる。試料が、チャンバ１８内にそれに連通するアクセス孔６０を通して投入された後は、プラグ７５がアクセス孔に挿入され、それにより、プラグ部分７９が封止部材６８を封止する。
【００２１】
上記装置１０の使用法の一例は、その中に蛋白質試料が存在する緩衝液を他の緩衝液と交換することである。緩衝液「Ａ」中の蛋白質を装置の密閉試料チャンバに注入し、次いで、装置１０をビーカなどの容器に入れられた緩衝液「Ｂ」（透析液）中に沈め（錘４８の端部から先に）、それにより、空気チャンバ４２ａおよび４２ｂがアセンブリを透析液中に浮遊させるようにする。分子量が透析膜の細孔より大きい蛋白質は、試料チャンバ１８内に留まり、試料チャンバ１８内の緩衝液は、拡散作用により透析液中の緩衝液と入れ替わる。
【００２２】
本明細書に記載された完成装置１０は、使用者が容易に扱うことができ、特別な技量を必要としない。試料は、針および注射器を用いて針孔５０を通して、かつ／または、ピペットなどのより大きな投入装置を用いてアクセス孔６０を通して注入し引き抜かれる。その処理中、指先は膜１４、１６に触れる必要はなく、膜１４、１６を囲繞するハウジングのみに触れればよい。直径がより大きいアクセス孔６０は、３０ｍｌ以上の装置など、比較的大容量の装置１０に適し得る。一実施形態では、アクセス孔６０は、５ｍｌ〜３０ｍｌなどの小容量の装置に設けられ得る。試料チャンバ１８を囲繞するハウジングは、通常使用される科学マーキングペンを用いて試料のラベル付けが容易にできるだけの十分な寸法をもつ。ハウジングの剛性によって、膜１４、１６が、互いに平行で、ガスケット１２の厚さ分だけ分離されるように配置される。その結果、装置１０の試料チャンバ１８は表面対体積比が高くなる。試料が注入されると円筒形を取る透析チューブに比較して、より高い装置１０の表面対体積比により、透析時間がより早くなる。
【００２３】
図３を参照すると、別の透析装置の実施形態８０が、アクセス孔（破線８２によって示す）を含めて図１および図２に関して上記で説明した特徴の多くを備える。この実施形態では、空気チャンバ（破線８４によって示す）は、膜１４および１６がその間に保持される、装置８０のハウジング９０ではなくて、プラグ８８の頭部８６に形成される。この実施形態では、空気チャンバ８４は、プラグ８８がアクセス孔８２から取り外されるときにハウジング９０から取り外され得る。空気チャンバ８４は、装置８０が透析液（図示せず）中に入れられ、プラグ８８がアクセス孔８２中に固定されたとき、装置１０を直立または垂直姿勢で浮遊させる。
【００２４】
図４に見られるように、プラグの頭部は適切な任意の形状でよい。図４の実施形態において、プラグ９２は、ボート形の頭部９４（断面で示す）を備える。頭部９４は、頭部と透析液１０６の液面１０４との間の空気チャンバ９６中にひとまとまりの空気を捕捉し、それにより、頭部９４は浮揚状態に保たれ、透析装置１００のハウジング１０２は沈められる。図５は、透析液１０６の液面１０４上に上向きに浮遊するボート形頭部１１１（断面で示す）を有するプラグ１０９を備える透析装置１０７を示す。頭部１１１が透析液１０６を押しのけ、それにより、頭部は浮揚状態を保ち、ハウジング１１３は沈められる。
【００２５】
図６は、試料透析のために、アクセス孔を備える装置を使用する方法１１０を示す。上記透析装置は、チャンバに試料を注入するために複数の選択肢を提供する。たとえば、ピペットを使用する場合、ステップ１１２では、プラグをアクセス孔から取り外して、アクセス孔を開放する。ステップ１１４では、アクセス孔を通して両膜間に形成されたチャンバに投入装置を滑り込ませることによって、試料を装置に注入する。投入装置の投入端部がチャンバに入ると、ステップ１１６では、試料が投入される。ステップ１１７では、プラグのプラグ部分をアクセス開口に通して、プラグ部分が封止部材に摩擦係合して流体密封状態を形成するまで挿入する。一部の例では、ステップ１１８で、針を針孔の１つに通し、自己封止隔壁の機能も果たすガスケットの壁の側面を通して挿入することができる。針がガスケットの壁を通り抜け試料チャンバに貫通した後は、ステップ１２０で、注射器のプランジャを押し込み、試料を注射器のシリンジから試料チャンバに送り込む。一部の実施形態では、ステップ１２０で、プランジャを引き出して空気または試料を抜き取ることもできる。
【００２６】
たとえば、注射器を使用しようとする場合には、ステップ１１９で、針を針孔の１つに通し、自己封止隔壁としても働くガスケットの側面を貫通して滑り込ませることによって、装置に試料を注入する。針がガスケットの壁を通り抜け試料チャンバに貫通した後は、ステップ１２１で、注射器のプランジャを押し込み、試料を試料チャンバに送り込む。
【００２７】
ステップ１２２では、装置を透析液中に沈める。一部の実施形態では、装置が直立姿勢になり装置の上部が透析液の上に延出するように、装置の錘を有する端部をまず透析液に浸漬する。このようにすると、プラグの頭部を把持することによって、装置を容易に透析液から取り出すことができる。透析液は、ビーカなどの容器内に保持され、透析液全体を膜に確実に接触させるために、透析液の混合機構を組み込むことができる。装置の自己完結特性により、透析を加速する効果のある新しい透析液を入れた容器に、装置を容易に移し換えることができる。あるいは、透析液を容器から空けて新しい透析液を足す間、装置を透析液から引き出しておくことができる。試料の透析が完了後、透析液を入れた容器から装置を取り出す。
【００２８】
ステップ１２４では、注射器（たとえば、針孔の１つを通して挿入することにより）または別の装置（たとえば、アクセス孔を通して挿入することにより）を使用し、チャンバから試料を抜き取ることにより、試料をチャンバから取り出すことができる。
【００２９】
図７〜図１０は、透析装置１４０用の別のハウジングであってプレート１４２および１４４を備えるハウジングの実施形態を示す。第１のプレート１４２は、空気陥凹１４６ａおよび１４６ｂを備え、そのそれぞれが、陥凹チャネル１５０がそれに沿って延在する隆起稜線部１４８の間に形成されている。ガスケット１５４がプレート１４２と１４４との間に配置された状態で、隆起稜線部１４８が、陥凹１５２ａおよび１５２ｂ内に受けられ、それにより、空気チャンバ１５４ａおよび１５４ｂを形成する。上記のように、ガスケット１５４は、封止部材がその中に配置された開口を備える。プラグ１５６が、開口を封止するために使用される。２つの針孔１５８、１６０が、ハウジングの側面を貫通してプレート１４２と１４４との間に形成される。プレート１４２と１４４とは、音波溶接、接着剤などによって連結することができる。
【００３０】
図１１〜図１４は、アクセス孔１６４、空気チャンバ１６６ａおよび１６６ｂ、ならびにプラグ１６８を含めて、上記特徴と同様な特徴を有する別の透析装置１６２の様々な視野を示す。
【００３１】
図１５は、様々な大きさの複数の透析装置１７０、１７２、１７４、１７６および１７８を示す。各透析装置は、上記のように、アクセス開口およびプラグを備える。それらの透析装置は、ある実施形態では約０．１ｍｌと約１ｍｌとの間、別の実施形態では約６０ｍｌと約１２０ｍｌとの間など、任意数の試料体積でも受け入れられるように寸法を決めることができる。ただし、具体的な装置に関する全体の大きさまたは収容体積は、特定の大きさに制限されることはない。
【００３２】
上述した発明の概要、図面、および発明を実施するための形態は、単なる説明かつ例示のためのものであり、限定しようとするものではない。たとえば、図１６に見られるように、プラグと封止部材を一体に固定し流体密封状態を形成するために、プラグと封止部材との間に摩擦タイプの嵌合以外の結合を使用することができる。図１６は、アクセス孔を封止するための、プラグ１２８と封止部材１３０との間のネジ結合１２６を示す。さらに、アクセス孔は、上記では透析装置の上部に示されているが、側面または底面に配置してもよい。封止部材の代わりに、ガスケットを貫通する開口内に内壁に沿って樹脂または他の塗装タイプの材料を塗布するなど、他の方法を使用してガスケットのアクセス開口の封止状態の形成を維持することもできる。樹脂または他の塗装タイプの材料は、硬化してプラグと共に封止状態を形成して開口を封止することができる。一部の実施形態では、封止部材は使用されず、プラグが、ガスケットを貫通する開口の内壁に対して適切な流体密封状態を形成する。組み立てに際し、上記のようにハウジングが一体に溶接される間開口を維持するために、封止部材を使用せずに、プラグを、ガスケットを貫通する開口に挿入してもよい（完全に組み立てられる前にガスケットに挿入されたプラグを示す図８〜図１０を参照されたい）。組立に際し、ガスケットを貫通する開口にプラグを挿入することにより開口が維持され、その結果、装置が組み立てられた後は、繰り返しプラグを開口に挿入し、そこから取り外すことができる。さらに、ハウジングが、針孔を備えず、アクセス孔のみを備えることもある。このようにして、他の変形および修正を加えることができる。
【符号の説明】
【００３３】
１０  透析装置、１２  ガスケット、１４  透析膜、１６  透析膜、１８  チャンバ、１９  針、２０  プレート、２２  プレート、２４  窓、２６  窓、２８  凸縁、３０  溝、３６  棚、３８  棚、４０  圧力稜線部、４２ａ  空気チャンバ、４２ｂ  空気チャンバ、４４ａ  空気陥凹、４４ｂ  空気陥凹、４６ａ  空気陥凹、４６ｂ  空気陥凹、４８  錘、５０  針孔、６０  アクセス孔、６２  開口、６４  上部壁、６６  チャネル、６８  封止部材、７０  本体部分、７２  フランジ部分、７５  プラグ、７７  拡大頭部、７９  プラグ部分、８０  透析装置、８２  アクセス孔、８４  空気チャンバ、８６  頭部、８８  プラグ、９０  ハウジング、９２  プラグ、９４  頭部、９６  空気チャンバ、１００  透析装置、１０２  ハウジング、１０４  液面、１０６  透析液、１０７  透析装置、１０９  プラグ、１１１  頭部、１１３  ハウジング、１２６  ネジ結合、１２８  プラグ、１３０  封止部材、１４０  透析装置、１４２  プレート、１４４  プレート、１４６ａ  空気陥凹、１４６ｂ  空気陥凹、１４８  隆起稜線部、１５０  チャネル、１５２ａ  陥凹、１５２ｂ  陥凹、１５４  ガスケット、１５４ａ  空気チャンバ、１５４ｂ  空気チャンバ、１５６  プラグ、１５８  針孔、１６０  針孔、１６２  透析装置、１６４  アクセス孔、１６６ａ  空気チャンバ、１６６ｂ  空気チャンバ、１６８  プラグ、１７０  透析装置、１７２  透析装置、１７４  透析装置、１７６  透析装置、１７８  透析装置
【図１】
0005538732.tif 000002
【図２】
0005538732.tif 000003
【図３】
0005538732.tif 000004
【図４】
0005538732.tif 000005
【図５】
0005538732.tif 000006
【図６】
0005538732.tif 000007
【図７】
0005538732.tif 000008
【図８】
0005538732.tif 000009
【図９】
0005538732.tif 000010
【図１０】
0005538732.tif 000011
【図１１】
0005538732.tif 000012
【図１２】
0005538732.tif 000013
【図１３】
0005538732.tif 000014
【図１４】
0005538732.tif 000015
【図１５】
0005538732.tif 000016
【図１６】
0005538732.tif 000017